(57)【要約】      （修正有）【課題】リサイクル樹脂を原材料とし、予め抗菌作用のある材料を使用し、マスク収納ケースを作成することで清潔にマスクを使用でき、その携帯性を高め、かつ、その表面にも抗菌効果を持つニスをコーティングすることで、マスクケース自体も清潔に使用でき、環境負荷の課題を解決する、抗菌加工マスク収納ケースを提供する。【解決手段】リサイクル樹脂フィルムシートを加工し、左辺ｆを圧着することで上辺ｂと上辺ｃと右辺ｄと右辺ｅに開口部を持つことが出来、さらにフック部ｇによって上辺を挟むことで、マスクの出し入れを容易にしつつ、その脱落を防止する構造を持つ物である。また、マスクケース１の表面２の任意の場所、または全体に抗菌効果のあるニスをコーティングすることで商品の抗菌効果を高める物である。【選択図】図１
0003235041.tif 000002
【実用新案登録請求の範囲】
【請求項１】
リサイクル樹脂を原材料とし、かつ抗菌加工が施されたポリプロピレン材料（以下再生ＰＰと表記する）を用いることでマスクに付着した黄色ブドウ球菌と大腸菌の増殖を抑制、またマスク本体が外気に触れないよう収納するために、開閉可能な部分と圧着により密閉された部分、または開閉部分を一時的に係止するフック部を備え、マスクの出し入れと密閉に近い状態での保存機能を兼ね備える事を特長とするマスク収納ケース。
【請求項２】
前項に記載の再生ＰＰ材料に対する印刷は、オフセット印刷を用い絵や文字、写真を印刷することを特徴とする請求項１に記載のマスク収納ケース。
【請求項３】
オフセット印刷にて絵や文字、写真などの印刷を施した再生ＰＰ材料に対し黄色ブドウ球菌と大腸菌の増殖を抑制する効果を備える抗菌ニスを用いて、マスク収納ケース本体の表面にコーティング処理をすることを特徴とする請求項１に記載のマスク収納ケース。
【考案の詳細な説明】
【技術分野】
【０００１】  本考案は主として、フイルムシート材料に対して多目的に使用できる利便性の高いノベルティー商品に関するものである。
【背景技術】
【０００２】  従来のマスク収納ケースは、使用する素材に抗菌加工を使用しマスクに触れる面に対しての抗菌効果を発揮することは出来たがマスク収納ケースの表面は抗菌加工がされていなかった。また再生材料を使用していないので環境負荷の高さが懸念された。
【考案が解決しようとする課題】
【０００３】  マスクを取り扱う際に、マスク収納ケースの表面に指が触れてしあうことは不可避なため、マスク本体のばい菌の増殖を抑制すること出来てもマスク収納ケース表面でのばい菌の増殖を抑制することは出来ていなかった。また再生材料を使用していないので環境負荷が高かった。
【課題を解決するための手段】
【０００４】  リサイクル樹脂を使用して製造され、予め抗菌効果を持つ加工を施した再生ＰＰ材料を用いることで、使用済みのマスクに付着した雑菌の繁殖を抑える機能を持つマスク収納ケースを作成できる。またオフセット印刷を用いてパターン等を印刷することで、共通の材料で多岐にわたる製品のバリエーションを作成することも出来、ノベルティー効果を高めることが出来る。そして各種印刷を施した上から抗菌効果を持つニスをコーティングすることでマスク収納ケースの表面にも抗菌効果を持たせることが出来る。
【考案実施の形態】
【０００５】  図１は本考案の再生材料を使用した抗菌加工マスク収納ケース（１）の視図である。あらかじめ抗菌剤を混ぜた再生材料を使用した抗菌加工マスク収納ケース（１）の底辺（ａ）は山折になっており、左辺（ｆ）で圧着されている。そのため底辺（ａ）及び左辺（ｆ）は閉じた状態になっている。上辺（ｂ）、（ｃ）と右辺（ｄ）、（ｅ）は開口しているため、ここからマスクを出し入れすることができる。この時ファイルの内側は抗菌効果を持つ。また、マスクケース表面（２）の任意のまたは全体に抗菌作用を持つニスをコーティングすることで底辺（ａ）で折り返し内部にマスクを収納した場合、でもマスク表面には抗菌効果が持続する。
【０００６】  図２は本考案の再生材料を使用した抗菌加工マスク収納ケース（１）の展開図である。図１で再生材料を使用した抗菌加工マスク収納ケース（１）は１枚のフィルムシートを折り曲げ、左辺（ｆ）を圧着することで上辺（ｂ）、（ｃ）と右辺（ｄ）、（ｅ）部に開口部を持つことが出来る。また、左辺（ｆ）は圧着されているのでマスクを収納した場合にその脱落を防止することが出来、かつ底辺（ａ）で折り返した場合フック部（ｇ）が上辺（ｃ）の上部を挟み込み固定する。
【図面の簡単な説明】
【０００７】
【図１】再生材料を使用した抗菌加工マスク収納ケースの視図
【図２】図１の再生材料を使用した抗菌加工マスク収納ケースの展開図
【符号の説明】
【０００８】１  再生材料を使用した抗菌加工マスク収納ケース
２  抗菌ニスコーティング箇所
ａ  底辺
ｂ  上辺
ｃ  上辺
ｄ  右辺
ｅ  右辺
ｆ  左辺
ｇ  フック
【図１】
0003235041.tif 000003
【図２】
0003235041.tif 000004
【手続補正書】
【提出日】令和3年5月6日(2021.5.6)
【手続補正１】
【補正対象書類名】実用新案登録請求の範囲
【補正対象項目名】全文
【補正方法】変更
【補正の内容】
【実用新案登録請求の範囲】
【請求項１】
抗菌加工が施されたリサイクル樹脂を原料とするポリプロピレン材料（以下再生ＰＰと表記する）を用い、おおよそ正方形に成形されたシートを中央から４分の１ほどずらしたところで折り、折り重ねられたシートの一方の短辺を圧着加工により固定することでシートが開閉可能な状態となる、またシートを中央から４分の１ほどずらして折り重ねたことで現れた余地部分に折り重ねた一方のシートを一時的に係止できるＵ字型フック部を設け、マスク本体収納時に本物品を密閉に近い状態で保存できる構造を設けた。また上記再生ＰＰ材料はあらかじめ抗菌加工が施されていることにより収納するマスクとシートが接する表面に付着した黄色ブドウ球菌と大腸菌の増殖を抑制出来る事を特長とするマスク収納ケース。
【請求項２】
前項に記載の再生ＰＰ材料に対する印刷は、オフセット印刷を用い絵や文字、写真を印刷することを特徴とする請求項１に記載のマスク収納ケース。
【請求項３】
オフセット印刷にて絵や文字、写真などの印刷を施した再生ＰＰ材料に対し黄色ブドウ球菌と大腸菌の増殖を抑制する効果を備える抗菌ニスを用いて、マスク収納ケース本体の表面にコーティング処理をすることを特徴とする請求項１に記載のマスク収納ケース。
【手続補正書】
【提出日】令和3年8月5日(2021.8.5)
【手続補正１】
【補正対象書類名】実用新案登録請求の範囲
【補正対象項目名】全文
【補正方法】変更
【補正の内容】
【実用新案登録請求の範囲】
【請求項１】
抗菌加工が施されたリサイクル樹脂を原料とするポリプロピレン材料（以下再生ＰＰと表記する）を用い、おおよそ正方形に成形されたシートを中央から４分の１ほどずらしたところで折り、折り重ねられたシートの一方の短辺を圧着加工により固定することでシートが開閉可能な状態となる、またシートを中央から４分の１ほどずらして折り重ねたことで現れた余地部分に折り重ねた一方のシートを一時的に係止できるＵ字型フック部を設け、マスク本体収納時に本物品を密閉に近い状態で保存できる構造を設けた上記再生ＰＰ材料があらかじめ抗菌加工が施されていることにより収納するマスクとシートが接する表面に付着した黄色ブドウ球菌と大腸菌の増殖を抑制出来る事を特長とするマスク収納ケース。
【請求項２】
前項に記載の再生ＰＰ材料に対する印刷は、オフセット印刷を用い絵や文字、写真を印刷することを特徴とする請求項１に記載のマスク収納ケース。
【請求項３】
オフセット印刷にて絵や文字、写真などの印刷を施した再生ＰＰ材料に対し黄色ブドウ球菌と大腸菌の増殖を抑制する効果を備える抗菌ニスを用いて、マスク収納ケース本体の表面にコーティング処理をすることを特徴とする請求項１に記載のマスク収納ケース。